(57)【要約】      （修正有）【課題】家電装置を正確に制御することができる制御システム、制御装置および制御方法を提供する。【解決手段】通信システム１（制御システムの一例）は、ＥＭＳクラウド４３（サーバ装置の一例）と、ＨＥＭＳコントローラ４４（制御装置の一例）とを具備する。ＨＥＭＳコントローラ４４は、ＥＭＳクラウド４３の制御指示の対象となる家電装置の時刻情報を取得してＥＭＳクラウド４３へ送信する。【選択図】図１
2019170113.tif 000002
【特許請求の範囲】
【請求項１】
サーバ装置と；
前記サーバ装置の制御指示の対象となる家電装置の時刻情報を取得して当該サーバ装置へ送信する制御装置と；
を具備することを特徴とする制御システム。
【請求項２】
前記サーバ装置は、
前記制御装置から取得した前記時刻情報に基づいて生成した前記家電装置の制御計画を含む前記制御指示を前記制御装置へ送信し、
前記制御装置は、
前記サーバ装置から受信した前記制御計画に基づいて前記家電装置を制御すること
を特徴とする請求項１に記載の制御システム。
【請求項３】
前記制御計画には、
少なくとも前記時刻情報に基づく制御の開始時刻および制御の終了時刻が含まれること
を特徴とする請求項２に記載の制御システム。
【請求項４】
前記家電装置には、
蓄電池が含まれ、
前記サーバ装置は、
前記蓄電池の充放電制御に関する前記制御計画を含む前記制御指示を前記制御装置へ送信し、
前記制御装置は、
前記制御計画に基づいて前記蓄電池の充放電制御を行うこと
を特徴とする請求項２または３に記載の制御システム。
【請求項５】
サーバ装置の制御指示の対象となる家電装置の時刻情報を取得して当該サーバ装置へ送信する送信部；
を備えることを特徴とする制御装置。
【請求項６】
制御装置がサーバ装置の制御指示の対象となる家電装置の時刻情報を取得して当該サーバ装置へ送信する送信工程；
を含むことを特徴とする制御方法。
【発明の詳細な説明】
【技術分野】
【０００１】
本発明の実施形態は、制御システム、制御装置および制御方法に関する。
【背景技術】
【０００２】
近年、電力市場の自由化に伴い、ＶＰＰ（Virtual  Power  Plant：仮想発電所）と呼ばれる制御手法が提案されている。このようなＶＰＰの技術では、アグリゲータと呼ばれる管理システムが、各施設に設置されたＨＥＭＳ（Home  Energy  Management  System）コントローラを介して太陽光発電、蓄電池、燃料電池、ＥＶ（Electric  Vehicle）等といった分散電源や各種の省エネルギー機器等の家電装置を統括的に制御して生み出された余剰電力を他の施設に供給する。
【先行技術文献】
【特許文献】
【０００３】
【特許文献１】特許第５７８０９８４号公報
【発明の概要】
【発明が解決しようとする課題】
【０００４】
ここで、例えば、アグリゲータやＨＥＭＳコントローラは、家電装置を正確に制御できない場合がある。具体的には、ＨＥＭＳコントローラは、家電装置の時刻を正確に把握していないため、例えば、家電装置が制御指示によって指定された期間で制御を停止しなかった場合、正確な終了時刻で停止させることができないおそれがある。さらに、アグリゲータ（他のクラウドサーバでもよい）も家電装置の時刻を把握していないため、正確に制御計画を立てることができないおそれもある。
【０００５】
本発明が解決しようとする課題は、家電装置を正確に制御することができる制御システム、制御装置および制御方法を提供することを目的とする。
【課題を解決するための手段】
【０００６】
実施形態に係る制御システムは、サーバ装置と、制御装置とを具備する。前記制御装置は、前記サーバ装置の制御指示の対象となる家電装置の時刻情報を取得して当該サーバ装置へ送信する。
【図面の簡単な説明】
【０００７】
【図１】図１は、実施形態に係る通信システムの構成例を示す図である。
【図２】図２は、実施形態に係るＨＥＭＳコントローラの構成の一例を示す図である。
【図３】図３は、実施形態に係るＥＭＳクラウドの構成の一例を示す図である。
【図４】図４は、実施形態に係る電力情報の説明図である。
【図５】図５は、生成部による制御計画の生成処理を示す図である。
【図６】図６は、実施形態に係る通信システムにおける動作の一例を示すシーケンス図である。
【図７】図７は、変形例に係る通信システムの処理内容を示す図である。
【発明を実施するための形態】
【０００８】
以下で説明する実施形態に係る通信システム１（制御システムの一例）は、ＥＭＳクラウド４３（サーバ装置の一例）と、ＨＥＭＳコントローラ４４（制御装置の一例）とを具備する。ＨＥＭＳコントローラ４４は、ＥＭＳクラウド４３の制御指示の対象となる家電装置の時刻情報を取得してＥＭＳクラウド４３へ送信する。
【０００９】
以下で説明する実施形態に係る通信システム１において、ＥＭＳクラウド４３は、ＨＥＭＳコントローラ４４から取得した時刻情報に基づいて生成した家電装置の制御計画を含む制御指示を制御装置へ送信する。ＨＥＭＳコントローラ４４は、ＥＭＳクラウド４３から受信した制御計画に基づいて家電装置を制御する。
【００１０】
以下で説明する実施形態に係る通信システム１において、制御計画には、少なくとも時刻情報に基づく制御の開始時刻および制御の終了時刻が含まれる。
【００１１】
以下で説明する実施形態に係る通信システム１において、家電装置には、分散電源１６０（蓄電池の一例）が含まれる。ＥＭＳクラウド４３は、分散電源１６０の充放電制御に関する制御計画を含む制御指示をＨＥＭＳコントローラ４４へ送信する。ＨＥＭＳコントローラ４４は、制御計画に基づいて分散電源１６０の充放電制御を行う。
【００１２】
以下、図面を参照して、実施形態に係る制御システム、制御装置および制御方法について説明する。実施形態において同一の部位には同一の符号を付し、重複する説明は省略される。
【００１３】
（実施形態）
まず、図１を用いて、実施形態に係る通信システムについて説明する。図１は、実施形態に係る通信システム１の構成例を示す図である。図１に示すように、実施形態に係る通信システム１は、電力会社のサーバ装置４１（以下、電力会社４１）と、アグリゲータのサーバ装置４２（以下、アグリゲータ４２）と、ＥＭＳ（Energy  Management  System）クラウド４３と、ＨＥＭＳコントローラ４４と、スマートメータ（電力計測器）４５とを備える。
【００１４】
電力会社４１は、各契約者宅Ｈに系統電源１１を介して電力を供給する事業者、すなわち、電力事業者が使用するサーバ装置であり、例えば、サーバ装置やクラウドシステム等により実現される。なお、電力会社４１は、発電施設や変電施設を所有する電気事業者であってもよく、送電事業者であってもよい。
【００１５】
また、電力会社４１は、専用網（通称Ａルート）を経由して、契約者のスマートメータ４５による電力量の計測や、通電の停止および復帰、時刻の同期等の様々な用途にてスマートメータ４５を遠隔操作する。
【００１６】
アグリゲータ４２は、電力会社４１と契約者宅Ｈにおける契約者との仲介を行い、電力会社４１からの要求に応じて、ＥＭＳクラウド４３に対して指示を行うことで、家電装置を統括的に制御する、いわゆるＶＰＰ（Virtual  Power  Plant）制御を実現する。
【００１７】
例えば、アグリゲータ４２は、電力会社４１からの要請に基づき、ＥＭＳクラウド４３に対して指定期間における電力量（いわゆるコミット量）の制御指示を行う。かかる制御指示には、少なくとも制御の開始時刻および制御の終了時刻を含む制御計画が含まれるが、かかる点については後述する。
【００１８】
そして、アグリゲータ４２は、制御指示に対して供給された各契約者宅Ｈのコミット量に基づいて、例えば各契約者に支払うインセンティブを算出する。また、アグリゲータ４２は、例えば、インターネットのＮＴＰ（Network  Time  Protocol）を用いて時刻同期サーバと同期する。
【００１９】
ＥＭＳクラウド４３は、アグリゲータ４２からコミット量（電力量）を指示する制御指示を受け付けると、契約者宅Ｈ毎にコミット量の割り当てを決定する。具体的には、ＥＭＳクラウド４３は、各契約者宅Ｈにおける家電装置（分散電源１６０や、機器１６１〜１６４）の余剰電力量や現在の状態を加味して、割り当てるコミット量を決定し、各契約者宅ＨのＨＥＭＳコントローラ４４に指示する。
【００２０】
また、ＥＭＳクラウド４３は、契約者のＨＥＭＳコントローラ４４から取得される電力量の計測データ等を集約する。例えば、ＥＭＳクラウド４３は、契約者に対して使用電力量のグラフ化（見える化）や家電装置の遠隔制御機能などを提供する。なお、遠隔制御機能の詳細については、図７で後述する。また、ＥＭＳクラウド４３は、アグリゲータ４２に対して契約者毎の余剰電力を一括してコミットする機能を有する。
【００２１】
家電装置とは、ＥＭＳクラウド４３（あるいはアグリゲータ４２）の制御指示の対象となる機器であり、例えば、図１に示す分散電源１６０、機器１６１〜１６４、住宅用分電盤１２および分散電源用分電盤１３を含む。なお、以下では、これらを総称して家電装置と記載する場合がある。
【００２２】
分散電源１６０は、例えば、系統電源１１から供給される電力や太陽光パネル２１からパワーコンディショナ２２を経由して生成された電力により充電を行ったり、電力会社４１への売電や、家電装置の消費電力として放電を行ったりする。例えば、分散電源１６０には、蓄電池や燃料電池、ＥＶ（Electric  Vehicle：電気自動車）等が含まれる。
【００２３】
機器１６１〜１６４は、電力を消費する負荷機器である。機器１６１〜１６４は、例えば、冷蔵庫、洗濯機、テレビ等という日常的に利用されている、いわゆる家電や、空調機器等の季節や気候条件等に応じて使用される季節性を有する機器を含む。
【００２４】
住宅用分電盤１２および分散電源用分電盤１３は、系統電源１１からの電力を契約者宅Ｈの配線に分岐させるとともに、各分岐における消費電力量を計測可能なスマート分電盤である。
【００２５】
これら家電装置は、それぞれが有する計時機能（例えば、水晶体の振動を用いた計時）によって時刻を特定し、ＨＥＭＳコントローラ４４へ送信可能である。また、家電装置の時刻は、例えば手動で設定される場合や、ＨＥＭＳコントローラ４４からの指示で設定される場合、あるいは任意のサーバと同期する等の所定の方法で時刻の同期を行うことで時刻を設定する場合等がある。なお、家電装置は、自装置が特定する時刻に基づいてスケジュール制御を行う機能を有していてもよいし、制御の開始時刻または終了時刻、あるいは開始時刻と終了時刻の指定を受けて自装置が特定する時刻に基づいて制御を実行する機能を有していてもよい。
【００２６】
なお、家電装置は、制御指示の対象となる機器であれば、上述した機器以外にも、任意の機器が採用可能である。
【００２７】
ＨＥＭＳコントローラ４４は、ＥＭＳクラウド４３によって割り当てられたコミット量に基づいて各家電装置を連携制御することで、契約者宅Ｈ全体として割り当てられたコミット量を満たすようにする。
【００２８】
また、ＨＥＭＳコントローラ４４は、余剰電力をコミットすべき指示期間中において、スマートメータ４５の電力量をモニタしつつ、モニタされた電力量に応じて家電装置の制御を調整する機能を有する。また、ＨＥＭＳコントローラ４４は、コミットすべき指定期間が経過すると、スマートメータ４５や家電装置からコミット量（電力量）の実績値を取得し、ＥＭＳクラウド４３を介してアグリゲータ４２へ通知する。また、ＨＥＭＳコントローラ４４は、例えば、インターネットのＮＴＰを用いて時刻同期サーバと同期する。
【００２９】
スマートメータ４５は、系統電源１１から供給された電力、すなわち買電した電力や、系統電源１１側へ供給した電力、すなわち売電した電力を計量する。また、スマートメータ４５は、契約者が所有するＨＥＭＳコントローラ４４と接続される所定の伝送媒体上で、ＥＣＨＯＮＥＴ  Ｌｉｔｅと呼ばれる通信プロトコルを使用して、ＨＥＭＳコントローラ４４へ契約者宅Ｈ全体の電力量の実績値を送信する（通称Ｂルート）。かかる伝統媒体として、例えば９２０ＭＨｚ帯無線やＰＬＣ（電力線搬送通信：Power  Line  Communication）等を用いることができる。
【００３０】
ここで、例えば、アグリゲータやＨＥＭＳコントローラは、家電装置を正確に制御できない場合がある。具体的には、ＨＥＭＳコントローラは、家電装置の時刻を正確に把握していないため、例えば、家電装置が制御指示によって指定された期間で制御を停止できない場合、正確な終了時刻で停止させることができないおそれがある。さらに、アグリゲータ（ＥＭＳクラウドでもよい）も家電装置の時刻を把握していないため、正確に制御計画を立てることができないおそれもある。このように従来の通信システムでは、アグリゲータやＨＥＭＳコントローラが家電装置を正確に制御できないおそれがあった。
【００３１】
そこで、実施形態に係る通信システム１では、ＨＥＭＳコントローラ４４が家電装置の時刻を取得してＥＭＳクラウド４３（あるいはアグリゲータ４２）へ送信する。これにより、ＨＥＭＳコントローラ４４は、家電装置の時刻を認識できるため、家電装置に対して正確な時間で制御の指示をすることができる。また、ＨＥＭＳコントローラ４４が家電装置に対して開始時刻または終了時刻、あるいは開始時刻と終了時刻を指定して制御指示を実行する場合に正確な時間で制御することができる。
【００３２】
さらに、ＥＭＳクラウド４３も、ＨＥＭＳコントローラ４４から家電装置の時刻を受信することで、かかる家電装置の制御計画を正確に行うことができる。すなわち、実施形態に係る通信システム１によれば、ＥＭＳクラウド４３やＨＥＭＳコントローラ４４が家電装置を正確に制御することができる。
【００３３】
次に、図２を用いて、実施形態に係るＨＥＭＳコントローラ４４の構成について説明する。図２は、実施形態に係るＨＥＭＳコントローラ４４の構成の一例を示す図である。図２に示すように、ＨＥＭＳコントローラ４４は、通信部２０と、制御部３０と、記憶部４０とを備える。
【００３４】
通信部２０は、無線通信処理や有線通信処理を行うためのネットワークデバイスである。具体的には、通信部２０は、図１に示したアグリゲータ４２等との間で、無線通信により各種情報を送受信する。また、例えば、通信部２０は、アグリゲータ４２からＥＭＳクラウド４３を介して制御指示を受信する。
【００３５】
記憶部４０は、例えば、ＲＡＭ（Random  Access  Memory）、フラッシュメモリ（Flash  Memory）等の半導体メモリ素子、または、ハードディスク、光ディスク等の記憶装置によって実現される。かかる記憶部４０は、電力情報４０ａを記憶する。
【００３６】
電力情報４０ａは、スマートメータ４５や家電装置から収集した各種情報を含む。ここで、図４を用いて、電力情報４０ａについて説明する。図４は、実施形態に係る電力情報４０ａの説明図である。
【００３７】
図４に示すように、電力情報４０ａは、「機器ＩＤ」、「種別」、「電力量取得時刻」、「時刻誤差想定値」および「電力量（Ｗｈ）」といった項目を含む。「機器ＩＤ」は、スマートメータ４５および家電装置を識別する識別情報である。「種別」は、スマートメータ４５および家電装置の種別を示す情報である。「電力量取得時刻」は、スマートメータ４５および家電装置から電力量の実績値を取得した時刻を示す。「時刻誤差想定値」は、ＨＥＭＳコントローラ４４の基準時刻と、スマートメータ４５および家電装置の時刻との誤差を示す。「電力量（Ｗｈ）」は、電力量の実測値を示す。
【００３８】
図２に戻って、制御部３０は、取得部３１と、送信部３２と、機器制御部３３とを備える。制御部３０は、例えば、ＣＰＵ（Central  Processing  Unit）やＭＰＵ（Micro  Processing  Unit）などの電子回路やＡＳＩＣ（Application  Specific  Integrated  Circuit）やＦＰＧＡ（Field  Programmable  Gate  Array）などの集積回路であり、ＨＥＭＳコントローラ４４の全体制御を実行する。
【００３９】
取得部３１は、アグリゲータ４２からの制御指示に基づいてスマートメータ４５や家電装置から各種情報を取得する。例えば、取得部３１は、アグリゲータ４２またはＥＭＳクラウド４３の制御指示の対象となる家電装置の時刻を示す時刻情報を取得する。
【００４０】
なお、取得部３１による時刻情報の取得タイミングは、任意である。例えば、取得部３１は、アグリゲータ４２またはＥＭＳクラウド４３から指示があった場合に、家電装置から時刻情報を取得する。
【００４１】
あるいは、取得部３１は、一定時間毎（例えば、３０分毎）に家電装置から時刻情報を取得してもよいし、例えば、家電装置が起動したタイミングで時刻情報を取得してもよい。
【００４２】
また、取得部３１は、後述する機器制御部３３によって制御された期間における家電装置の電力量の実績値を取得する。例えば、取得部３１は、蓄電池や燃料電池等の分散電源１６０から電力量の積算値（例えば、３０分毎）を実績値として取得する。また、例えば、取得部３１は、空調機器や照明機器等の機器１６１〜１６４から電力量の瞬時値を実績値として取得する。
【００４３】
また、取得部３１は、家電装置の状態を示す情報を取得する。例えば、取得部３１は、家電装置が蓄電池である場合、かかる蓄電池の蓄電残量や、最小・最大放電電力値、ＡＣ放電量設定値、放電電力設定値等を取得する。なお、蓄電残量は、単位時間での放電量として表される。例えば、蓄電残量が１００Ｗｈの場合、１００Ｗを１時間放電できる電力を蓄えていることを示す。最小・最大放電電力値は、瞬間的に放電可能な最小電力量および最大電力量の瞬時値として表される。ＡＣ放電量設定値は、蓄えられた電力を交流（ＡＣ）に変換して放電する場合の放電量の設定値である。放電電力設定値は、蓄電池が放電する電力量の設定値であり、最小・最大放電電力値の範囲内に設定される。なお、放電電力設定値は、設定機能が蓄電池に備わっていない場合があり、かかる場合、取得部３１は、蓄電池を一定時間放電し、放電前後での蓄電残量の変化量から放電電力設定値を算出可能である。
【００４４】
送信部３２は、取得部３１が取得した各種情報をＥＭＳクラウド４３へ送信する。例えば、送信部３２は、家電装置の時刻情報をＥＭＳクラウド４３へ送信する。また、送信部３２は、例えば、ＨＥＭＳコントローラ４４およびＥＭＳクラウド４３が時刻同期サーバと同期している場合、家電装置の時刻と、同期した時刻との誤差を算出してＥＭＳクラウド４３へ送信してもよい。
【００４５】
なお、送信部３２による時刻情報の送信タイミングは、制御指示が発生する前の期間であれば任意であってよい。例えば、送信部３２は、取得部３１が時刻情報を取得する度に送信してもよく、一定期間毎にまとめて送信してもよい。
【００４６】
あるいは、送信部３２は、契約者宅Ｈの家電装置すべて（あるいは一定数以上）の時刻を取得部３１が取得してからまとめてＥＭＳクラウド４３へ送信してもよい。
【００４７】
機器制御部３３は、ＥＭＳクラウド４３から制御指示を受信した場合、かかる制御指示に基づいて家電装置を制御する。具体的には、機器制御部３３は、制御指示に含まれる制御計画に従って家電装置を制御する。
【００４８】
次に、図３を用いて、実施形態に係るＥＭＳクラウド４３の構成について説明する。図３は、実施形態に係るＥＭＳクラウド４３の構成の一例を示す図である。図３に示すように、ＥＭＳクラウド４３は、通信部２００と、制御部３００と、記憶部４００とを備える。ＥＭＳクラウド４３も、上記したＨＥＭＳコントローラ４４と同様に、コンピュータや各種の回路によって構成することができる。
【００４９】
制御部３００は、生成部３１０と、処理部３２０とを備える。記憶部４００は、計画情報４１０を記憶する。
【００５０】
制御部３００は、ＨＥＭＳコントローラ４４から取得した時刻情報に基づいて制御計画を含む制御指示を生成し、ＨＥＭＳコントローラ４４へ送信する処理を行う。
【００５１】
生成部３１０は、アグリゲータ４２から送信される制御指示を受信した場合に、各契約者宅ＨのＨＥＭＳコントローラ４４へ送信するための制御指示を生成する。かかる制御指示には、契約者宅Ｈ毎にコミットすべき電力量や、制御計画等の情報が含まれる。生成部３１０は、生成した制御指示をＨＥＭＳコントローラ４４へ送信するとともに、計画情報４１０として記憶部４００に記憶する。ここで、図５を用いて、生成部３１０による制御計画の生成処理について説明する。
【００５２】
図５は、生成部３１０による制御計画の生成処理を示す図である。図５では、４つの契約者宅Ｈ（Ａ宅〜Ｄ宅）に設置された蓄電池を制御するための制御計画を生成する場合について説明する。また、図５において、時刻ｔ１は、制御指示による蓄電池の制御の開始時刻、時刻ｔ４は、制御の終了時刻である。
【００５３】
また、図５では、説明を分かりやすくする観点から、各宅の蓄電池の放電電力設定値が同じ値（図５に示すαＷ）であるとし、時間毎での変動がなく、常にαＷの電力量を放電することとする。
【００５４】
ここで、ＥＭＳクラウド４３がアグリゲータ４２からの制御指示により、時刻ｔ１から時刻ｔ４までの期間において、常に２αＷの電力量をコミットする指示を受け付けたとする。
【００５５】
かかる場合、生成部３１０は、各宅の蓄電池の蓄電残量および放電電力設定値に基づいて時刻ｔ１から時刻ｔ４の期間において常に２αＷの電力量がコミットされるように、制御計画を生成する。このとき、生成部３１０は、ＨＥＭＳコントローラ４４から取得した蓄電池の時刻情報を使って制御計画を生成する。
【００５６】
つまり、生成部３１０は、各契約者宅Ｈの蓄電池の時刻同士または蓄電池の時刻とＥＭＳクラウド４３の時刻とに誤差がある場合には、かかる誤差を加味した時刻での制御計画を生成する。
【００５７】
図５に示す例では、生成部３１０は、Ａ宅蓄電池については、時刻ｔ１から時刻ｔ２までの期間において放電する制御計画を生成する。また、生成部３１０は、Ｂ宅蓄電池については、時刻ｔ３から時刻ｔ４までの期間において放電する制御計画を生成する。また、生成部３１０は、Ｃ宅蓄電池については、時刻ｔ１から時刻ｔ３までの期間において放電する制御計画を生成する。また、生成部３１０は、Ｄ宅蓄電池については、時刻ｔ２から時刻ｔ４までの期間において放電する制御計画を生成する。そして、生成部３１０は、各宅のＨＥＭＳコントローラ４４に対して生成した各制御計画を送信する。
【００５８】
このように、生成部３１０は、家電装置の時刻情報を取得して制御計画を生成することで、家電装置を制御計画に合わせて正確に制御させることができる。具体的には、より正確に制御の開始時刻および終了時刻を定めて制御することができる。
【００５９】
なお、図５では、時刻ｔ１から時刻ｔ４の期間において、常に２αＷの電力量をコミットする制御計画を立てたが、例えば、２αＷ以上の電力量をコミットする制御計画を立ててもよい。これにより、制御計画通りに進行しなかった場合であっても、２αＷを担保することができる。
【００６０】
また、生成部３１０は、時刻ｔ１の前の時点で制御計画を立てた後、時刻ｔ１以降に制御計画通りに電力量がコミットされていない場合には、都度制御計画を修正して、修正した制御計画を各ＨＥＭＳコントローラ４４へ送信してもよい。つまり、生成部３１０は、動的に制御計画を調整してもよい。
【００６１】
処理部３２０は、生成部３１０によって生成された制御計画を含む制御指示を各契約者宅ＨのＨＥＭＳコントローラ４４へ送信する処理を行う。例えば、処理部３２０は、家電装置の時刻と、ＥＭＳクラウド４３の時刻とに誤差が生じていた場合、契約者宅Ｈ毎にかかる誤差を補正した制御計画を生成する処理を行う。また、処理部３２０は、アグリゲータ４２から送信される制御指示の認証処理や、ＨＥＭＳコントローラ４４から送信される情報の認証処理等も行う。
【００６２】
次に、図６を用いて、実施形態に係る通信システム１の処理の流れについて説明する。図６は、実施形態に係る通信システム１における動作の一例を示すシーケンス図である。なお、図６では、家電装置として、蓄電池１６０−１および燃料電池１６０−２を例に挙げて説明する。
【００６３】
図６に示すように、まず、ＨＥＭＳコントローラ４４は、蓄電池１６０−１に対して時刻情報を要求する（ステップＳ１０１）。つづいて、ＨＥＭＳコントローラ４４は、蓄電池１６０−１から時刻情報を取得する（ステップＳ１０２）。
【００６４】
つづいて、ＨＥＭＳコントローラ４４は、蓄電池１６０−１に対して電力情報４０ａを要求する（ステップＳ１０３）。つづいて、ＨＥＭＳコントローラ４４は、蓄電池１６０−１から電力情報４０ａを取得する（ステップＳ１０４）。
【００６５】
つづいて、ＨＥＭＳコントローラ４４は、燃料電池１６０−２に対して時刻情報を要求する（ステップＳ１０５）。つづいて、ＨＥＭＳコントローラ４４は、燃料電池１６０−２から時刻情報を取得する（ステップＳ１０６）。
【００６６】
つづいて、ＨＥＭＳコントローラ４４は、燃料電池１６０−２に対して電力情報４０ａを要求する（ステップＳ１０７）。つづいて、ＨＥＭＳコントローラ４４は、燃料電池１６０−２から電力情報４０ａを取得する（ステップＳ１０８）。
【００６７】
つづいて、ＨＥＭＳコントローラ４４は、スマートメータ４５に対して時刻情報を要求する（ステップＳ１０９）。つづいて、ＨＥＭＳコントローラ４４は、スマートメータ４５から時刻情報を取得する（ステップＳ１１０）。
【００６８】
つづいて、ＨＥＭＳコントローラ４４は、スマートメータ４５に対して電力情報４０ａを要求する（ステップＳ１１１）。つづいて、ＨＥＭＳコントローラ４４は、スマートメータ４５から電力情報４０ａを取得する（ステップＳ１１２）。なお、図６に示すステップＳ１０１〜Ｓ１１２の処理順序は一例であって、任意の順序であってよい。
【００６９】
つづいて、ＨＥＭＳコントローラ４４は、蓄電池１６０−１、燃料電池１６０−２およびスマートメータ４５の時刻情報をＥＭＳクラウド４３へ送信する（ステップＳ１１３）。なお、ＨＥＭＳコントローラ４４は、時刻情報の取得タイミングであるステップＳ１０２、ステップＳ１０６およびステップＳ１１０の処理が終わる毎に、時刻情報を送信してもよい。
【００７０】
つづいて、ＥＭＳクラウド４３は、取得した時刻情報に基づいて制御計画を生成する（ステップＳ１１４）。そして、ＥＭＳクラウド４３は、生成した制御計画を含む制御指示をＨＥＭＳコントローラ４４へ送信する（ステップＳ１１５）。
【００７１】
つづいて、ＨＥＭＳコントローラ４４は、受信した制御指示に基づいて蓄電池１６０−１および燃料電池１６０−２の機器を制御し（ステップＳ１１６）、処理を終了する。
【００７２】
上述したように、実施形態に係る通信システム１は、ＥＭＳクラウド４３と、ＨＥＭＳコントローラ４４とを具備する。ＨＥＭＳコントローラ４４は、ＥＭＳクラウド４３の制御指示の対象となる家電装置の時刻情報を取得してＥＭＳクラウド４３へ送信する。これにより、ＥＭＳクラウド４３やＨＥＭＳコントローラ４４が家電装置を正確に制御することができる。
【００７３】
なお、上述した実施形態では、アグリゲータ４２は、ＥＭＳクラウド４３を介してＨＥＭＳコントローラ４４へ制御指示を送信することで間接的に家電装置を制御したが、例えば、アグリゲータ４２が家電装置を直接制御してもよい。かかる点について、図７を用いて説明する。
【００７４】
図７は、変形例に係る通信システム１の処理内容を示す図である。図７では、ＨＥＭＳコントローラ４４ａおよび蓄電池１６０ａを備えるＡ契約者宅Ｈａと、ＨＥＭＳコントローラ４４ｂおよび大容量の蓄電池１６０ｂを備えるＢ契約者宅Ｈｂとを示している。図７に示すように、変形例に係るアグリゲータ４２は、間接制御経路Ｒ１と直接制御経路Ｒ２とのいずれかによって制御可能である。つまり、図７に示す変形例は、上述した実施形態とは、直接制御経路Ｒ２を有する点で異なる。
【００７５】
間接制御経路Ｒ１は、上記したようにＥＭＳクラウド４３によって制御計画が生成され、制御計画に従ってＡ契約者宅ＨａのＨＥＭＳコントローラ４４ａが蓄電池１６０ａを制御する経路である。かかる間接制御経路Ｒ１では、例えば、ＯｐｅｎＡＤＲ（Auto  Demand  Response）４３ａ等のプロトコルを用いてアグリゲータ４２およびＥＭＳクラウド４３の間で制御指示等の情報の送受信が行われる。
【００７６】
また、直接制御経路Ｒ２は、間接制御経路Ｒ１の制御指示に関わらず、アグリゲータ４２がＢ契約者宅Ｈｂの蓄電池１６０ｂを直接充放電制御する経路である。かかる直接制御経路Ｒ２では、ＥＭＳクラウド４３のＲｅｍｏｔｅ  ＷｅｂＡＰＩ（Application  Programming  Interface）４３ｂを使用してＨＥＭＳコントローラ４４ｂの制御によらず、蓄電池１６０ｂを直接制御する。
【００７７】
具体的には、ＥＭＳクラウド４３は、アグリゲータ４２からＷｅｂＡＰＩでの制御指示を受け付けると、制御指示の対象となるＢ契約者宅Ｈｂの認証を行い、かかる認証が完了すると、認証完了の旨をアグリゲータ４２へ通知する。これにより、アグリゲータ４２は、ＥＭＳクラウド４３の通信機能を利用して、ＨＥＭＳコントローラ４４を介することなく蓄電池１６０ｂを直接制御できるようになる。
【００７８】
これにより、例えば、電力会社４１から指示されたコミットが追加された場合や、制御計画に異常が生じてコミット量が足りない場合等に、大容量の蓄電池１６０ｂを直接制御してコミット量を増加させる等の柔軟な対応を行い易くすることができる。
【００７９】
また、上述した実施形態では、アグリゲータ４２とＥＭＳクラウド４３とが別体で構成される場合について説明したが、これに限定されるものではなく、アグリゲータ４２とＥＭＳクラウド４３とが一体的に構成されてもよい。かかる場合、アグリゲータ４２がＥＭＳクラウド４３の機能を兼ねる。
【００８０】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００８１】
１    通信システム
１１    系統電源
１２    住宅用分電盤
１３    分散電源用分電盤
２０，２００    通信部
２１    太陽光パネル
２２    パワーコンディショナ
３０，３００    制御部
３１    取得部
３２    送信部
３３    機器制御部
４０，４００    記憶部
４０ａ  電力情報
４１    電力会社
４２    アグリゲータ
４３    ＥＭＳクラウド
４４    ＨＥＭＳコントローラ
４５    スマートメータ
１６０    分散電源
１６０−１  蓄電池
１６０−２  燃料電池
１６１〜１６４  機器
３１０    生成部
３２０    処理部
４１０    計画情報
Ｈ    契約者宅
【図１】
2019170113.tif 000003
【図２】
2019170113.tif 000004
【図３】
2019170113.tif 000005
【図４】
2019170113.tif 000006
【図５】
2019170113.tif 000007
【図６】
2019170113.tif 000008
【図７】
2019170113.tif 000009